(57)【要約】【課題】用途に応じて撮像画角を変更できる安価で経済的なヘッド分離型カメラを提供する。【解決手段】所定のコンバーションレンズを嵌着したキャップ２６を数種類用意し、各キャップ２６を、ハウジング１１に固定したＣＣＤホルダ２０の前端部外周に螺着できるようにしたから、撮像画角を変更するために数種類のカメラヘッドを用意したり、交換レンズを用意したりする必要が無く、安価で経済的なヘッド分離型カメラを提供することができる。また、コンバーションレンズが単玉レンズであるから、より安価で経済的となる。さらに、カメラヘッド部３の全体を防水としたから、水中や屋外での使用が可能となり利用範囲を拡大できる。【選択図】図４
2008166931.tif 000002
【特許請求の範囲】
【請求項１】
信号入出力用ケーブルの先端に後端部を取り付けたハウジングと、該ハウジングに、撮像素子ユニットと該撮像素子ユニットの前方部に配置したレンズユニットとを収納するとともに、前記ハウジングの前端部開口に前面ガラスを嵌着したキャップを取り付けたヘッド分離型カメラにおいて、
前記キャップに代えて、所定のコンバーションレンズを嵌着したキャップを取り付けるようにしたことを特徴とするヘッド分離型カメラ。
【請求項２】
前記コンバーションレンズは、単玉レンズであることを特徴とする請求項１に記載のヘッド分離型カメラ。
【請求項３】
前記ハウジングとキャップとを防水とするとともに、該ハウジングとキャップの接合部に防水を施したことを特徴とする請求項１又は請求項２に記載のヘッド分離型カメラ。
【発明の詳細な説明】
【技術分野】
【０００１】
本発明は、ヘッド分離型カメラに関するものである。
【背景技術】
【０００２】
信号入出力用ケーブルの先端に後端部を取り付けたハウジングと、該ハウジングに、撮像素子ユニットと該撮像素子ユニットの前方部に配置したレンズユニットとを収納したヘッド分離型カメラは、既に開発されている。また、特許第３０２００８７号公報には、カメラヘッドのハウジングごと防水ケーシングに収納したヘッド分離型カメラが提示されている。
【０００３】
ヘッド分離型カメラは、用途に応じて撮像画角を変更するために数種類のカメラヘッドを用意し、その信号入出力用ケーブルをカメラコントロールユニットに差し替えることにより、所定の用途に応じるようにしている。また、用途に応じて交換レンズを用意し、レンズユニットを交換することにより、所定の用途に応じることもできる。
【０００４】
しかしながら、用途毎にカメラヘッドを用意すること、或いは交換レンズを用意することは、何れも高価で経済的ではないという問題点がある。
【特許文献１】特許第３０２００８７号公報
【発明の開示】
【発明が解決しようとする課題】
【０００５】
本発明は上記問題点を解決するためになされたものであり、用途に応じて撮像画角を変更できる安価で経済的なヘッド分離型カメラを提供することを目的とする。
【課題を解決するための手段】
【０００６】
上記問題点を解決するための請求項１に記載のヘッド分離型カメラは、信号入出力用ケーブルの先端に後端部を取り付けたハウジングと、該ハウジングに、撮像素子ユニットと該撮像素子ユニットの前方部に配置したレンズユニットとを収納するとともに、前記ハウジングの前端部開口に前面ガラスを嵌着したキャップを取り付けたヘッド分離型カメラにおいて、前記キャップに代えて、所定のコンバーションレンズを嵌着したキャップを取り付けるようにしたことを特徴とする。
【０００７】
請求項２に記載のヘッド分離型カメラは、請求項１に記載の構成において、前記コンバーションレンズは、単玉レンズであることを特徴とする。
【０００８】
請求項３に記載のヘッド分離型カメラは、請求項１又は請求項２に記載の構成において、前記ハウジングとキャップとを防水とするとともに、該ハウジングとキャップの接合部に防水を施したことを特徴とする。
【発明の効果】
【０００９】
請求項１に記載のヘッド分離型カメラによれば、前面ガラスを嵌着したキャップに代えて、所定のコンバーションレンズを嵌着したキャップを数種類用意して、各キャップを前記ハウジングの前端部開口に取り付けるようにしたから、撮像画角を変更するために数種類のカメラヘッドを用意したり、交換レンズを用意したりする必要が無く、安価で経済的なヘッド分離型カメラを提供することができる。
【００１０】
請求項２に記載のヘッド分離型カメラによれば、コンバーションレンズが単玉レンズであるから、より安価で経済的となる。
【００１１】
請求項３に記載のヘッド分離型カメラによれば、ハウジングとキャップとを防水とするとともに、該ハウジングとキャップの接合部に防水を施したから、水中や屋外での使用が可能となり利用範囲を拡大できる。
【実施例】
【００１２】
本発明の実施例について添付図面を参照して説明する。図１はヘッド分離型カメラ装置１の斜視図、図２はブロック図、図３はカメラヘッド部の断面図、図４は要部の断面図である。ヘッド分離型カメラ装置１は、コントロールユニット２とカメラヘッド部３とから構成されている。カメラヘッド部３は、入出力用ケーブル（以下、ケーブルという。）４によりコントローラユニット２と接続している。また、コントロールユニット２は図２のブロック図に示すように、撮像素子（以下、ＣＣＤという。）駆動回路、ＣＣＤ１３からの映像信号を処理する映像処理回路（１），（２）、ネットワーク処理回路及び電源回路等から構成されている。
【００１３】
カメラヘッド部３の主要構成部品は、ハウジング１１と該ハウジング１１に収納されるレンズユニット１２、ＣＣＤ１３及びＣＣＤユニット１４である。ハウジング１１の後端部には、ケーブルホルダ１５が固定されている。ケーブルホルダ１５には、ケーブル４が挿通されて保持されている。ハウジング１１の後端部外周と該後端部から挿通されるケーブル４の一部に、ゴムスリーブ１６が被着されている。ハウジング１１の内部のケーブルホルダ１５の前側には、ＣＣＤユニット１４の基板ホルダ１７が固定されている。基板ホルダ１７には、ＣＣＤユニット１４の回路基板１８とＣＣＤ基板１９が取り付けられている。
【００１４】
上記ハウジング１１の前端部開口には、ＣＣＤホルダ２０が嵌着され前記基板ホルダ１７に固定されている。ＣＣＤホルダ２０にはＣＣＤ１３が保持されるとともに、光学水晶フィルタ２１がＣＣＤ１３の前方に取り付けられている。さらに、ＣＣＤホルダ２０のハウジング１１の前端開口から突出する円筒部２２の内周には、雌ネジ２３が形成されている。該雌ネジ２３には、レンズユニット１２の後端部がねじ込まれて、該レンズユニット１２が取り付けられている。そして、ＣＣＤホルダ２０の前端部外周には、キャップ２４が螺着されてレンズユニット１２の前端部を覆っている。キャップ２４の開口には前面ガラス２５が嵌着されている。
【００１５】
上記ハウジング１１とケーブルホルダ１５、ＣＣＤホルダ２０の接合部、該ＣＣＤホルダ２０とキャップ２４との接合部及び該キャップ２４と前面ガラス２５との嵌着部には、それぞれＯリングが嵌装されていて、カメラヘッド部３の全体が防水されている。
【００１６】
上記に説明したカメラヘッド部３は、図４に示すように前面ガラス２５を嵌着したキャップ２４に代えて、単玉のコンバーションレンズ３１を嵌着したキャップ２６を、ＣＣＤホルダ２０の前端部外周に螺着することができる。この場合のコンバーションレンズ３１は、凹レンズであり画角が広がり広角仕様のカメラヘッドとなる。コンバーションレンズの種類毎に嵌着したキャップを用意して、交換することにより、簡単にカメラヘッドを望遠等の仕様に変換することができる。
【００１７】
上記に説明したヘッド分離型カメラ装置１は、所定のコンバーションレンズを嵌着したキャップ２６を数種類用意し、各キャップ２６をハウジング１１に固定したＣＣＤホルダ２０の前端部外周に螺着できるようにしたから、撮像画角を変更するために数種類のカメラヘッドを用意したり、交換レンズを用意したりする必要が無く、安価で経済的なヘッド分離型カメラを提供することができる。また、コンバーションレンズが単玉レンズであるから、より安価で経済的となる。さらに、カメラヘッド部３の全体を防水としたから、水中や屋外での使用が可能となり利用範囲を拡大できる。
【図面の簡単な説明】
【００１８】
【図１】ヘッド分離型カメラ装置の斜視図である。
【図２】同、ブロック図である。
【図３】カメラヘッド部の断面図である。
【図４】要部の断面図である。
【符号の説明】
【００１９】
１  ヘッド分離型カメラ装置
２  コントロールユニット
３  カメラヘッド部
１１  ハウジング
１２  レンズユニット
１３  ＣＣＤ
１４  ＣＣＤユニット
２４，２６  キャップ
３１  コンバーションレンズ
【図１】
2008166931.tif 000003
【図２】
2008166931.tif 000004
【図３】
2008166931.tif 000005
【図４】
2008166931.tif 000006
【手続補正書】
【提出日】平成19年12月10日(2007.12.10)
【手続補正１】
【補正対象書類名】図面
【補正対象項目名】図３
【補正方法】変更
【補正の内容】
【図３】
2008166931.tif 000007